(57)【要約】【課題】握り心地が良い筆記具及びグリップを提供することを課題とする。【解決手段】所定の融点を有し相変化が可能な物質を内包したマイクロカプセル３０を把持部１３やグリップ１４に設けた。把持部１３又はグリップ１４の温度が急激に低下せず、使用者が把持した際に、前記機能を有さないものと比較して使用者は長い時間温感を感ずることができる。また、把持部１３又はグリップ１４の温度が急激に上昇せず、使用者が把持した際に、前記機能を有さないものと比較して使用者は長い時間冷感を感ずることができる。更に、内部のインク１９の温度の急激な上昇や低下を防止し、前記機能を有さないものと比較して長い時間良好な筆記感を得ることができる。【選択図】  図２
2004188812.tif 000002
【特許請求の範囲】
【請求項１】
筆記具の少なくとも把持部に、所定の融点を有し相変化が可能な物質を内包したマイクロカプセルを設けたことを特徴とする筆記具。
【請求項２】
筆記具の把持部に用いられる筆記具用グリップであって、該筆記具用グリップに、所定の融点を有し相変化が可能な物質を内包したマイクロカプセルを設けたことを特徴とする筆記具用グリップ。
【請求項３】
前記筆記具は、軸筒を有するとともに、該軸筒内にインクを収納したボールペンであることを特徴とする請求項１に記載の筆記具。
【発明の詳細な説明】
【０００１】
【発明が属する技術分野】
本発明は、万年筆、ボールペン、シャープペンシル等の筆記具及びこれら筆記具の把持部に用いられるグリップに関する。
【０００２】
【従来の技術】
従来、「滑り防止」、「疲労防止」等の観点からボールペン、シャープペンシルなどの筆記具把持部の形状や材質等を工夫したものが知られている。
【特許文献１】特開２００２−２５４８８７号公報
例えば、特開２００２―２５４８８７号公報においては、筆記具の把持部に三角柱の筆記具グリップを設けることで、筆記具の持ち方を矯正するとともに、長時間筆記してもペンだこのできにくい技術が開示されている。
【特許文献２】特開平３−２９２２００号公報
さらに、特開平３−２９２２００号公報においては、筆記具への被覆体の形状及び硬度を特定することで、長時間筆記に伴う腱鞘炎などの弊害を防止しようとする技術が開示されている。
【０００３】
その他、筆記具の把持部に用いるグリップに関する技術は多数になるが、そのほとんどが「滑り防止」、「疲労防止」等の観点からなされた技術であった。
このため、筆記具の把持部については、上記の「疲労防止」、「滑り防止」の観点以外の点に着目した商品についてはほとんどないのが実情である。
【０００４】
【発明が解決しようとする課題】
そこで、本発明は筆記具、特に筆記具の把持部の温度に着目し、かかる観点から握り心地が良い筆記具及びグリップを提供することを課題とするものである。
【０００５】
【課題を解決するための手段】
第１の課題解決手段は、筆記具の少なくとも把持部に、所定の融点を有し相変化が可能な物質を内包したマイクロカプセルを設けたことを特徴とするものである。
さらに、第２の課題解決手段は、筆記具の把持部に用いられる筆記具用グリップであって、該筆記具用グリップに、所定の融点を有し相変化が可能な物質を内包したマイクロカプセルを設けたことを特徴とするものである。
さらに、第３の課題解決手段は、前記筆記具は、軸筒を有するとともに、該軸筒内にインクを収納したボールペンであることを特徴とするものである。
【０００６】
上述の筆記具には、シャープペンシル、ボールペン、筆ペン、万年筆、ペン先に細管を用いた細管ペン等が含まれる。
所定の融点を有し相変化が可能な物質を内包したマイクロカプセルは、筆記具の全体に設けることもできるが、それは必ずしも必要でなく、少なくとも把持部に設ければよい。また、把持部全体や筆記具用グリップ全体に設ける必要も必ずしもなく、部分的に設けることもできる。例えば、把持部の外表面のみ、把持部の軸方向の中心付近のみ、把持部の軸方向の両端のみ、又は、把持部の一方端側のみに設けることもできる。
【０００７】
筆記具把持部若しくはグリップの基材には、金属材料や樹脂材料がある。樹脂材料としては、例えば、ブタジエン系ゴム、ブタジエン−スチレン共重合体ゴム（ＳＢＲ）、ニトリルゴム（ＮＢＲ）、クロロプレン系ゴム、イソプレン系ゴム、ブチルゴムなどの各種架橋ゴム、各種熱可塑性エラストマー、軟質塩化ビニル、ポリウレタン等の軟質材料が挙げられる。
把持部やグリップの形成方法としては、例えば押し出し成形、射出成形や発泡成形などがある。所定の融点を有し相変化が可能な物質を内包したマイクロカプセルを基材に含ませ形成される。また、布など繊維状のものにマイクロカプセルを設け、この繊維を把持部に設けたり、グリップとして使用することも考えられる。
【０００８】
所定の融点を有し相変化が可能な物質には、例えば、脂肪族炭化水素、芳香族炭化水素、脂肪酸、アルコール等の有機化合物、塩化カルシウム６水和物、炭酸ナトリウム１０水和物、硫酸ナトリウム１０水和物、リン酸水素ナトリウム１２水和物、硝酸亜鉛６水和物、硝酸ニッケル６水和物、チオ硫酸ナトリウム５水和物等無機化合物がある。なお、これらに限定されないことはいうまでもない。なお、筆記具の把持部、グリップに用いる場合は、１８？以上３５？以下の融点を持つ物質が好ましい。さらに、これらの物質を適宜組み合わせて使用することもできる。さらに、熱伝導性や比重を調節するため、アルコール、金属などを加えることもできる。
【０００９】
尚、好ましくは、脂肪族炭化水素（特にｎ―パラフィン）を用いることである。単独で使用することもできるし、混合することによって融点を自由に設計でき、さらに、カプセル破損時の安全性を確保しやすいからである。
ｎ−パラフィンとしては、例えばトリデカン（Ｃ１３）、テトラデカン（Ｃ１４）、ペンタデカン（Ｃ１５）、ヘキサデカン（Ｃ１６）、ヘプタデカン（Ｃ１７）、オクタデカン（Ｃ１８）、ノナデカン（Ｃ１９）、イコサン（Ｃ２０）、ドコサン（Ｃ２２）等が挙げられる。
これらの物質は、相変化をする前に一定温度で吸熱又は放熱する。
【００１０】
また、所定の融点を有し相変化が可能な物質をマイクロカプセルで内包することで、内部収容物の安定化、安全化等を図ることができる。
マイクロカプセルの形成方法としては、従来から知られている方法を用いることができ、特に限定されるものではない。
マイクロカプセル壁形成材として、天然または合成脂肪族アルコール、脂肪酸、脂肪酸エステル及びワックスなどの熱可塑性物質を挙げることができる。
マイクロカプセルの外径は１．０〜２０００ミクロンが好ましい。より好ましくは５．０〜５００ミクロン、更に好ましくは１０〜２００ミクロンである。
【００１１】
【発明の実施の形態】
以下、本発明を実施の形態により、より具体的に説明する。尚、本明細書において、前方とは筆記先端方向をいい、後方とは反筆記先端方向（尾栓方向）をいう。
【００１２】
図１は、本発明の第１実施形態の縦断面図を示している。この実施形態は軸筒１０の内部にインク１９を収納したボールペンを示している。軸筒１０はインク１９を収納するインク収納筒１１と、インク収納筒１１を内部に収納した外軸１２とからなる。インク収納筒１１の内部にはインク１９が収納され、このインク１９の後端にはインクの逆流を防止するとともに、インクの消費に伴いインクに追従する逆流防止体２０が設けられている。この逆流防止体２０は、インク１９の逆流を防止するとともに、インク１９が消費された際にインク収納筒内壁にインク１９が残存することを防止し、インク収納筒１１のインク汚れを防止する。逆流防止体２０の内部には、該逆流防止体とほぼ同等比重の棒状部材２１が設けられ、インク１９の逆流をより防止する作用を有する。
【００１３】
インク１９の前方であって、インク収納筒１１の前端には筆記先端１７とインク収納筒１１とを接続する接続部材１８が設けられている。尚、筆記先端１７は金属製のボールペンチップである。
外軸１２の後端には尾栓１５が取り付けられ、前端には口先１６が取り付けられている。接続部材１８に形成された顎部を、口先１６と外軸１２との間に挟みこむことでインク収納筒１１を固定している。
【００１４】
そして、筆記時に使用者が把持する把持部１３には、グリップ１４が取り付けられている。このグリップ１４は外軸１２とは別部品とし外軸１２の外側に取り付けてある。尚、２重成形等の射出成形により形成することも可能であり、グリップの取り付けについて、その方法は特に問わない。
【００１５】
このグリップ１４については、図２に示した拡大縦断面図で詳細を説明する。このグリップ１４については、ウレタンフォームである米国フリスビー・テクノロジー社の「ComforTemp（コンフォテンプ）」（登録商標）を用いた。
該グリップ１４にはマイクロカプセル３０が設けられている。該マイクロカプセル３０内には、所定の融点を有し相変化が可能な物質が内包されている。具体的には、米国フリスビー・テクノロジー社の「Thermasorb （サーマソーブ）」（登録商標）を用いた。より具体的には、「Thermasorb83」を用いた。このマイクロカプセル内の原材料が、温度により液体および固体と状態変化することにより、熱を吸収および放出することで、素材自体が適温に維持するよう作用する。
尚、材質については、所定の融点を有し相変化が可能な物質を内包したマイクロカプセルを備えたものであればこれに限られるものではない。
【００１６】
所定の融点を有し相変化が可能な物質を把持部１３やグリップ１４に設けることで以下の作用を有する。
例えば、冬季など外気温が低下している状態において、上記の機能を有する材質で形成された把持部１３又はグリップ１４を具備した筆記具を前記外気温よりも高い温度の室内に一定時間放置する。この場合、把持部１３又はグリップ１４には、室内の熱が蓄熱される。その後、この筆記具を外気温が低下した室外で使用した場合、蓄熱された熱が放出されることになる。
【００１７】
このため、室外において把持部１３又はグリップ１４の温度が急激に低下せず、使用者が把持した際に、前記機能を有さないものと比較して使用者は長い時間温感を感ずることができる。特に極寒地においては室内と室外の気温差が激しいため、前記機能を有していれば、より一層使用者の冷感を軽減することができる。
【００１８】
また、例えば、夏期など外気温が高い状態においては、上記の冬季とは逆に使用者に冷感を与えることができる。すなわち、外気温度よりも低い場所に前記機能を有する把持部１３又はグリップ１４を備えた筆記具を放置すると、把持部１３又はグリップ１４は平衡の温度状態となる。この状態の筆記具を外気温度にさらすと把持部１３又はグリップ１４は吸熱する時間、ほぼ一定の温度を維持することになる。このため、前記機能を有さないものと比較して使用者は冷感を長く感じることができる。
【００１９】
このように、使用者に対し従来にない温感を与えることで握り心地が良い筆記具及びグリップを提供することができる。
【００２０】
更に、例えば、軸筒１０の内部にインク１９を収納したボールペンを高温雰囲気から低温雰囲気に移動させた場合、内部に収納されたインク１９の温度も低下する。一般的に、インク１９の温度が低下すると粘度が増加するが、粘度が増加すると、筆記先端からインクが十分に吐出しないなどの不都合が発生する可能性もある。前記機能を有することで、内部のインク温度の低下を防止し、前記機能を有さないものと比較して長い時間良好な筆記感を得ることができる。
【００２１】
また、その逆に低温雰囲気から高温雰囲気に移動させると内部のインク１９の粘度は低下することになる。場合によって、インク１９が過剰に吐出されたり軸筒１０の後端からインク１９が漏れだしたりしてしまうおそれがある。前記機能を有することで、内部のインク１９の温度の上昇を防止し、前記機能を有さないものと比較して長い時間良好な筆記感などを得ることができる。
すなわち、温度変化に対して良好なインク吐出、筆記感などを一定時間確保することができるグリップ１４若しくは筆記具を提供することができる。
【００２２】
【発明の効果】
本発明により、握り心地が良い筆記具及びグリップを提供することができる。
【図面の簡単な説明】
【図１】本発明の第１実施形態を示す縦断面図である。
【図２】図１におけるグリップの周辺を拡大して示した拡大縦断面図である。
【符号の説明】
１０  軸筒
１１  インク収納筒
１２  外軸
１３  把持部
１４  グリップ
１５  尾栓
１６  口先
１７  筆記先端
１８  接続部材
１９  インク
２０  逆流防止体
２１  棒状部材
３０  マイクロカプセル
【図１】
2004188812.tif 000003
【図２】
2004188812.tif 000004